(57)【要約】  本発明は、コンテンツプラットフォームに独立的な商品放送を利用した電子商取引システムに関し、放送網を介して提供される有料放送に対する有料放送チャネルマップと、インターネット網を介して提供される商品放送に対する商品放送チャネルマップとを単一の統合チャネルマップ（Ｃｈａｎｎｅｌ  Ｍａｐ）に統合して管理することによって、簡単なユーザの操作でインターネットを介して提供される商品放送を容易に接近及び変更できるので、コンテンツプラットフォームに依存しない商品放送を利用した電子商取引を行うことができる。
2015509325.tif 000002
【特許請求の範囲】
【請求項１】
統合チャネルマップ管理アプリケーションを実行して、放送網を介して提供される有料放送に対する有料放送チャネルマップと、インターネット網を介して提供される商品放送に対する商品放送チャネルマップとを単一の統合チャネルマップ（Ｃｈａｎｎｅｌ  Ｍａｐ）に統合して管理するチャネルマップ管理部と、
前記チャネルマップ管理部により管理される単一の統合チャネルマップを格納するチャネルマップ格納部と、
ユーザのチャネル操作によって、前記チャネルマップ格納部に格納された単一の統合チャネルマップを参照してチャネルを選択するチャネル管理部と、
前記チャネル管理部により選択された有料放送チャネルから提供する有料放送チャネル信号または商品放送チャネルから提供する商品放送チャネル信号を再生する放送処理部と、を有するユーザ端末を備えることを特徴とするコンテンツプラットフォームに独立的な商品放送を利用した電子商取引システム。
【請求項２】
前記チャネル管理部が、
ユーザのチャネル操作に応じるチャネル番号を認識するチャネル番号認識部と、
前記チャネル番号認識部により認識されたチャネル番号に対応するチャネルを単一の統合チャネルマップから検索するチャネル検索部と、
現在接続中のチャネルを解除し、前記チャネル検索部により検索されたチャネルに接続を変更するチャネル変更部と、を備えることを特徴とする請求項１に記載のコンテンツプラットフォームに独立的な商品放送を利用した電子商取引システム。
【請求項３】
前記コンテンツプラットフォームに独立的な商品放送を利用した電子商取引システムが、
インターネット網を介して提供される商品放送に対する商品放送チャネルマップを生成し、統合チャネルマップ管理アプリケーションと前記生成された商品放送チャネルマップとを放送加入者のユーザ端末に提供するチャネル情報管理サーバをさらに備えることを特徴とする請求項１に記載のコンテンツプラットフォームに独立的な商品放送を利用した電子商取引システム。
【請求項４】
前記チャネル情報管理サーバが、
インターネット網を介して商品放送を提供する商品放送サーバから商品放送チャネル情報を収集する商品放送チャネル情報収集部と、
前記商品放送チャネル情報収集部により収集された商品放送チャネル情報を分析し商品放送チャネルマップを生成するチャネルマップ生成部と、
統合チャネルマップ管理アプリケーションを格納するアプリケーション格納部と、
前記チャネルマップ生成部により生成された商品放送チャネルマップと、アプリケーション格納部に格納された統合チャネルマップ管理アプリケーションとを放送加入者のユーザ端末に提供するチャネルマップ提供部と、
を備えることを特徴とする請求項３に記載のコンテンツプラットフォームに独立的な商品放送を利用した電子商取引システム。
【請求項５】
前記チャネルマップ生成部が、
収集された商品放送チャネル情報から商品放送チャネルを検索し、検索されたチャネルに対して商品放送コンテンツＵＲＬもしくはチャネル接続メニューまたは商品放送プログラム識別子もしくは商品識別子をマッピングして、商品放送チャネルマップを生成することを特徴とする請求項４に記載のコンテンツプラットフォームに独立的な商品放送を利用した電子商取引システム。
【請求項６】
前記チャネルマップ生成部が、
商品放送チャネルマップを放送地域別に異なるように生成することを特徴とする請求項４に記載のコンテンツプラットフォームに独立的な商品放送を利用した電子商取引システム。
【請求項７】
前記コンテンツプラットフォームに独立的な商品放送を利用した電子商取引システムが、
商品放送サーバからの商品放送チャネル割り当て要請によって、全体有料放送チャネルのうち、少なくとも一つの有料放送チャネルもしくは特定有料放送チャネルの特定部分の放送編成時間帯またはチャネル接続メニューを商品放送チャネルに割り当てるチャネル管理部と、
前記チャネル管理部により商品放送チャネルに割り当てられたチャネルを除いたチャネルに対する放送ストリームを放送網を介して放送加入者のユーザ端末に提供する有料放送処理部と、を有する有料放送サーバをさらに備えることを特徴とする請求項４に記載のコンテンツプラットフォームに独立的な商品放送を利用した電子商取引システム。
【請求項８】
前記コンテンツプラットフォームに独立的な商品放送を利用した電子商取引システムが、
有料放送サーバに商品放送チャネル割り当てを要請して、有料放送サーバから全体有料放送チャネルのうち、少なくとも一つの有料放送チャネルもしくは特定有料放送チャネルの特定部分の放送編成時間帯またはチャネル接続メニューを商品放送チャネルに割り当てられる商品放送チャネル要請部と、
放送加入者のユーザ端末により前記商品放送チャネル要請部を介して有料放送サーバから割り当てられた商品放送チャネルを選択するとき、選択された商品放送チャネルを介して放送される商品放送コンテンツを、インターネット網を介して該当放送加入者のユーザ端末に提供する商品放送処理部と、を有する商品放送サーバをさらに備えることを特徴とする請求項７に記載のコンテンツプラットフォームに独立的な商品放送を利用した電子商取引システム。
【請求項９】
前記商品放送処理部が、
前記放送加入者のユーザ端末により選択されたチャネルが全体有料放送チャネルのうち、少なくとも一つの有料放送チャネルの場合、該当有料放送チャネルにマッピングされた商品放送コンテンツＵＲＬを該当放送加入者のユーザ端末と直接接続させることを特徴とする請求項８に記載のコンテンツプラットフォームに独立的な商品放送を利用した電子商取引システム。
【請求項１０】
前記商品放送処理部が、
前記放送加入者のユーザ端末により選択されたチャネルが特定有料放送チャネルの特定部分の放送編成時間帯の場合、該当特定有料放送チャネルの特定部分の放送編成時間帯にマッピングされた商品放送プログラム識別子または商品識別子に対応する商品放送コンテンツを該当商品放送プログラム識別子または商品識別子にマッピングされた商品放送コンテンツＵＲＬから読んで、該当放送加入者のユーザ端末に提供することを特徴とする請求項８に記載のコンテンツプラットフォームに独立的な商品放送を利用した電子商取引システム。
【請求項１１】
前記商品放送処理部が、
前記放送加入者のユーザ端末により選択されたチャネルがチャネル接続メニューの場合、該当チャネル接続メニューにマッピングされた商品放送コンテンツＵＲＬから商品放送コンテンツを読んで、該当放送加入者のユーザ端末に提供することを特徴とする請求項８に記載のコンテンツプラットフォームに独立的な商品放送を利用した電子商取引システム。
【請求項１２】
前記ユーザ端末が、
商品放送チャネル信号の再生途中、リモコン、タッチスクリーン、またはキーボードから特定キーを入力するとき、該当商品放送チャネルで放送される商品に対する電子商取引要請アプリケーションを実行する電子商取引要請部を、さらに備えることを特徴とする請求項３に記載のコンテンツプラットフォームに独立的な商品放送を利用した電子商取引システム。
【請求項１３】
前記コンテンツプラットフォームに独立的な商品放送を利用した電子商取引システムが、
前記電子商取引要請アプリケーションを介して要請された電子商取引処理を行い、各商品放送チャネル別に収益を配分する電子商取引サーバを、さらに備えることを特徴とする請求項１２に記載のコンテンツプラットフォームに独立的な商品放送を利用した電子商取引システム。
【請求項１４】
前記電子商取引サーバが、
ユーザ端末から商品放送チャネル視聴内訳または商品注文内訳を周期的に収集及び分析することを特徴とする請求項１３に記載のコンテンツプラットフォームに独立的な商品放送を利用した電子商取引システム。
【発明の詳細な説明】
【技術分野】
【０００１】
本発明は、放送技術に関し、特にコンテンツプラットフォームに独立的な商品放送を利用した電子商取引システムに関する。
【背景技術】
【０００２】
下記の特許文献１「ＩＰＴＶユーザ端末、ＩＰＴＶ放送と連係した双方向サービスシステム及びその方法」などにおいて、セットトップボックスを利用した放送技術を提案している。
【０００３】
放送は、チャネルの数及び各チャネルの割り当て帯域幅が制限されるという短所があるが、セットトップボックスを介して容易に接近可能な長所を有することに対し、インターネットは、帯域幅がほぼ無制限であるという長所を有するが、有料放送事業者のセットトップボックスを介して接近し難いという短所を有する。
【０００４】
本発明者は、このような有料放送の長所とインターネットの長所とを結合して放送事業者のセットトップボックスまたは移動通信端末機において簡単なユーザのリモコン操作、タッチスクリーンまたはキーボード方式でインターネットを介して提供される商品放送及びその他コンテンツ（以下、商品放送とする）を変更し電子商取引を行うことのできる、コンテンツプラットフォームに独立的な商品放送を利用した電子商取引技術に対する研究をするようになった。
【先行技術文献】
【特許文献】
【０００５】
【特許文献１】韓国特許公開第１０−２０１０−００８４８１１号（２０１０．０７．２８）
【発明の概要】
【発明が解決しようとする課題】
【０００６】
本発明は、上記の問題を解決するためになされたものであって、放送網を介して提供される有料放送に対する有料放送チャネルマップと、インターネット網を介して提供される商品放送に対する商品放送チャネルマップとを単一の統合チャネルマップ（Ｃｈａｎｎｅｌ  Ｍａｐ）に統合して管理することによって、簡単なユーザのリモコン、タッチスクリーン、またはキーボード操作でインターネットを介して提供される商品放送を容易に接近及び変更したり電子商取引を利用できるコンテンツプラットフォームに独立的な商品放送を利用した電子商取引システムを提供することをその目的とする。
【課題を解決するための手段】
【０００７】
上記の目的を達成すべく、本発明の一様相によれば、コンテンツプラットフォームに独立的な商品放送を利用した電子商取引システムが統合チャネルマップ管理アプリケーションを実行して、放送網を介して提供される有料放送に対する有料放送チャネルマップと、インターネット網を介して提供される商品放送に対する商品放送チャネルマップとを単一の統合チャネルマップ（Ｃｈａｎｎｅｌ  Ｍａｐ）に統合して管理するチャネルマップ管理部と、前記チャネルマップ管理部により管理される単一の統合チャネルマップを格納するチャネルマップ格納部と、ユーザのチャネル操作によって、前記チャネルマップ格納部に格納された単一の統合チャネルマップを参照してチャネルを選択するチャネル管理部と、前記チャネル管理部により選択された有料放送チャネルから提供する有料放送チャネル信号または商品放送チャネルから提供する商品放送チャネル信号を再生する放送処理部と、を有するユーザ端末を備えることを特徴とする。
【０００８】
本発明の付加的な様相によれば、前記チャネル管理部が、ユーザのチャネル操作に応じるチャネル番号を認識するチャネル番号認識部と、前記チャネル番号認識部により認識されたチャネル番号に対応するチャネルを単一の統合チャネルマップから検索するチャネル検索部と、現在接続中のチャネルを解除し、前記チャネル検索部により検索されたチャネルに接続を変更するチャネル変更部と、を備えることを特徴とする。
【０００９】
本発明の付加的な様相によれば、前記コンテンツプラットフォームに独立的な商品放送を利用した電子商取引システムが、インターネット網を介して提供される商品放送に対する商品放送チャネルマップを生成し、統合チャネルマップ管理アプリケーションと前記生成された商品放送チャネルマップとを放送加入者のユーザ端末に提供するチャネル情報管理サーバをさらに備えることを特徴とする。
【００１０】
本発明の付加的な様相によれば、前記チャネル情報管理サーバが、インターネット網を介して商品放送を提供する商品放送サーバから商品放送チャネル情報を収集する商品放送チャネル情報収集部と、前記商品放送チャネル情報収集部により収集された商品放送チャネル情報を分析し商品放送チャネルマップを生成するチャネルマップ生成部と、統合チャネルマップ管理アプリケーションを格納するアプリケーション格納部と、前記チャネルマップ生成部により生成された商品放送チャネルマップと、アプリケーション格納部に格納された統合チャネルマップ管理アプリケーションとを放送加入者のユーザ端末に提供するチャネルマップ提供部と、を備えることを特徴とする。
【００１１】
本発明の付加的な様相によれば、前記チャネルマップ生成部が、収集された商品放送チャネル情報から商品放送チャネルを検索し、検索されたチャネルに対して商品放送コンテンツＵＲＬもしくはチャネル接続メニューまたは商品放送プログラム識別子もしくは商品識別子をマッピングして、商品放送チャネルマップを生成することを特徴とする。
【００１２】
本発明の付加的な様相によれば、前記チャネルマップ生成部が、商品放送チャネルマップを放送地域別に異なるように生成することを特徴とする。
【００１３】
本発明の付加的な様相によれば、前記コンテンツプラットフォームに独立的な商品放送を利用した電子商取引システムが、商品放送サーバからの商品放送チャネル割り当て要請によって、全体有料放送チャネルのうち、少なくとも一つの有料放送チャネルもしくは特定有料放送チャネルの特定部分の放送編成時間帯またはチャネル接続メニューを商品放送チャネルに割り当てるチャネル管理部と、前記チャネル管理部により商品放送チャネルに割り当てられたチャネルを除いたチャネルに対する放送ストリームを放送網を介して放送加入者のユーザ端末に提供する有料放送処理部と、を有する有料放送サーバをさらに備えることを特徴とする。
【００１４】
本発明の付加的な様相によれば、前記コンテンツプラットフォームに独立的な商品放送を利用した電子商取引システムが、有料放送サーバに商品放送チャネル割り当てを要請して、有料放送サーバから全体有料放送チャネルのうち、少なくとも一つの有料放送チャネルもしくは特定有料放送チャネルの特定部分の放送編成時間帯またはチャネル接続メニューを商品放送チャネルに割り当てられる商品放送チャネル要請部と、放送加入者のユーザ端末により前記商品放送チャネル要請部を介して有料放送サーバから割り当てられた商品放送チャネルを選択するとき、選択された商品放送チャネルを介して放送される商品放送コンテンツを、インターネット網を介して該当放送加入者のユーザ端末に提供する商品放送処理部と、を有する商品放送サーバをさらに備えることを特徴とする。
【００１５】
本発明の付加的な様相によれば、前記商品放送処理部が、前記放送加入者のユーザ端末により選択されたチャネルが全体有料放送チャネルのうち、少なくとも一つの有料放送チャネルの場合、該当有料放送チャネルにマッピングされた商品放送コンテンツＵＲＬを該当放送加入者のユーザ端末と直接接続させることを特徴とする。
【００１６】
本発明の付加的な様相によれば、前記商品放送処理部が、前記放送加入者のユーザ端末により選択されたチャネルが特定有料放送チャネルの特定部分の放送編成時間帯の場合、該当特定有料放送チャネルの特定部分の放送編成時間帯にマッピングされた商品放送プログラム識別子または商品識別子に対応する商品放送コンテンツを該当商品放送プログラム識別子または商品識別子にマッピングされた商品放送コンテンツＵＲＬから読んで、該当放送加入者のユーザ端末に提供することを特徴とする。
【００１７】
本発明の付加的な様相によれば、前記商品放送処理部が、前記放送加入者のユーザ端末により選択されたチャネルがチャネル接続メニューの場合、該当チャネル接続メニューにマッピングされた商品放送コンテンツＵＲＬから商品放送コンテンツを読んで、該当放送加入者のユーザ端末に提供することを特徴とする。
【００１８】
本発明の付加的な様相によれば、前記ユーザ端末が、商品放送チャネル信号の再生途中、リモコン、タッチスクリーン、またはキーボードから特定キーを入力するとき、該当商品放送チャネルで放送される商品に対する電子商取引要請アプリケーションを実行する電子商取引要請部を、さらに備えることを特徴とする。
【００１９】
本発明の付加的な様相によれば、前記コンテンツプラットフォームに独立的な商品放送を利用した電子商取引システムが、前記電子商取引要請アプリケーションを介して要請された電子商取引処理を行い、各商品放送チャネル別に収益を配分する電子商取引サーバを、さらに備えることを特徴とする。
【００２０】
前記電子商取引サーバが、ユーザ端末から商品放送チャネル視聴内訳または商品注文内訳を周期的に収集及び分析することを特徴とする。
【発明の効果】
【００２１】
本発明は、放送網を介して提供される有料放送に対する有料放送チャネルマップと、インターネット網を介して提供される商品放送に対する商品放送チャネルマップとを単一の統合チャネルマップ（Ｃｈａｎｎｅｌ  Ｍａｐ）に統合して管理することによって、簡単なユーザのリモコン、タッチスクリーン、またはキーボード操作でインターネットを介して提供される商品放送を容易に接近及び変更でき、電子商取引を利用できるという有用な効果を有する。
【図面の簡単な説明】
【００２２】
【図１】本発明に係るコンテンツプラットフォームに独立的な商品放送を利用した電子商取引システムのネットワーク概要図である。
【図２】本発明に係るコンテンツプラットフォームに独立的な商品放送を利用した電子商取引システムのユーザ端末の一実施形態の構成を示すブロック図である。
【図３】本発明に係るコンテンツプラットフォームに独立的な商品放送を利用した電子商取引システムのチャネル情報管理サーバの一実施形態の構成を示すブロック図である。
【図４】本発明に係るコンテンツプラットフォームに独立的な商品放送を利用した電子商取引システムの有料放送サーバの一実施形態の構成を示すブロック図である。
【図５】本発明に係るコンテンツプラットフォームに独立的な商品放送を利用した電子商取引システムの商品放送サーバの一実施形態の構成を示すブロック図である。
【図６】本発明に係るコンテンツプラットフォームに独立的な商品放送を利用した電子商取引システムの商品放送提供過程を示すフローチャートである。
【発明を実施するための形態】
【００２３】
以下、添付された図面を参照して述べられる好ましい実施形態を通じて本発明を当業者が容易に理解し再現できるように詳細に述べることにする。
【００２４】
本発明を説明するに当たって関連した公知機能または構成に対する具体的な説明が本発明の実施形態の要旨を不明にするおそれがあると判断される場合には、その詳細な説明を省略する。
【００２５】
本発明の明細書全般にわたって使用される用語らは、本発明の実施形態での機能を考慮して定義された用語であって、ユーザまたは運用者の意図、慣例などによって十分に変形できる事項であるから、この用語らの定義は、本明細書の全般にわたる内容に基づいて下されなければならない。
【００２６】
図１は、本発明に係るコンテンツプラットフォームに独立的な商品放送を利用した電子取引システムのネットワーク概要図である。図１に示すように、本発明に係るコンテンツプラットフォームに独立的な商品放送を利用した電子商取引システムは、放送加入者が所有する多数のユーザ端末（１００）と、チャネル情報管理サーバ（２００）と、有料放送サーバ（３００）と、商品放送サーバ（４００）及び電子商取引サーバ（５００）とを備える。
【００２７】
前記ユーザ端末（１００）は、有料放送サーバ（３００）から放送網を介して提供される有料放送に対する有料放送チャネルマップと、チャネル情報管理サーバ（２００）からインターネット網を介して提供される商品放送に対する商品放送チャネルマップとが統合された単一の統合チャネルマップ（Ｃｈａｎｎｅｌ  Ｍａｐ）を生成して管理し、これを参照して有料放送サーバ（３００）から提供される有料放送及び商品放送サーバ（４００）から提供される商品放送を受信する。
【００２８】
このとき、有料放送チャネルマップと、商品放送チャネルマップとが統合された単一の統合チャネルマップを利用して、ユーザ端末（１００）は、簡単なユーザのリモコン、タッチスクリーン、またはキーボード操作で商品放送サーバ（４００）から提供される商品放送をあたかも放送網から提供される有料放送チャネルを転換するように容易に接近及び変更して再生することによって、コンテンツプラットフォームに依存しない放送を行うようになる。
【００２９】
一方、ユーザ端末（１００）は、有料放送事業者用セットトップボックス、ＯＴＴ（Ｏｖｅｒ  Ｔｈｅ  Ｔｏｐ）セットトップボックス、インターネット接続及びセットトップボックス機能を含むスマートＴＶ、ＰＣ、スマートフォンなどの移動通信端末機などのようなユーザが所有する装置でありうる。
【００３０】
前記チャネル情報管理サーバ（２００）は、インターネット網を介して提供される商品放送に対する商品放送チャネルマップを生成して、統合チャネルマップ管理アプリケーションと前記生成される商品放送チャネルマップを放送加入者のユーザ端末（１００）に提供する。
【００３１】
このとき、チャネル情報管理サーバ（２００）が商品放送チャネルマップの生成時に、コンテンツプラットフォーム事業者が提供する商品放送コンテンツＵＲＬもしくはチャネル接続メニューまたは商品放送番組識別子もしくは商品識別子を商品放送チャネルマップにマッピングさせることによって、チャネル操作による簡単な商品放送コンテンツＵＲＬもしくはチャネル接続メニューまたは商品放送プログラム識別子もしくは商品識別子の変更のみで所望の商品放送コンテンツを探して利用できるから、コンテンツプラットフォームに依存しない商品放送を利用した電子商取引が可能になる。
【００３２】
前記有料放送サーバ（３００）は、商品放送サーバ（４００）からの商品放送チャネル割り当て要請によって、全体有料放送チャネルのうち、少なくとも一つの有料放送チャネルもしくは特定有料放送チャネルの特定部分の放送編成時間帯またはチャネル接続メニューを商品放送チャネルに割り当て、商品放送チャネルに割り当てられたチャネルを除いたチャネルに対する放送ストリームを放送網を介して放送加入者のユーザ端末（１００）に提供する。このとき、有料放送サーバ（３００）が有料放送チャネルマップを放送加入者のユーザ端末（１００）に提供する。
【００３３】
前記商品放送サーバ（４００）は、有料放送サーバ（３００）に商品放送チャネル割り当てを要請して、有料放送サーバから全体有料放送チャネルのうち、少なくとも一つの有料放送チャネルもしくは特定有料放送チャネルの特定部分の放送編成時間帯またはチャネル接続メニューを商品放送チャネルに割り当てられ、放送加入者のユーザ端末（１００）により商品放送チャネルを選択するとき、選択された商品放送チャネルを介して放送される商品放送コンテンツを、インターネット網を介して該当放送加入者のユーザ端末（１００）に提供する。
【００３４】
電子商取引サーバ（５００）は、ユーザ端末（１００）により実行される電子商取引要請アプリケーションを介して要請された電子商取引処理を行い、各商品放送チャネル別に収益を配分する。
【００３５】
このように具現化することによって、本発明は、放送網を介して提供される有料放送に対する有料放送チャネルマップと、インターネット網を介して提供される商品放送に対する商品放送チャネルマップとを単一の統合チャネルマップ（Ｃｈａｎｎｅｌ  Ｍａｐ）に統合して管理することによって、簡単なユーザのリモコン、タッチスクリーン、またはキーボード操作によりインターネットを介して提供される商品放送を容易に接近及び変更でき、電子商取引を利用することができるので、コンテンツプラットフォームに依存しない放送及び電子商取引を行うようになる。
【００３６】
図２は、本発明に係るコンテンツプラットフォームに独立的な商品放送を利用した電子商取引システムのユーザ端末の一実施形態の構成を示すブロック図である。図２に示すように、この実施の形態に係るユーザ端末（１００）は、チャネルマップ管理部（１１０）と、チャネルマップ格納部（１２０）と、チャネル管理部（１３０）と、放送処理部（１４０）とを備えてなされる。
【００３７】
前記チャネルマップ管理部（１１０）は、統合チャネルマップ管理アプリケーションを実行して、放送網を介して提供される有料放送に対する有料放送チャネルマップと、インターネット網を介して提供される商品放送に対する商品放送チャネルマップとを単一の統合チャネルマップ（Ｃｈａｎｎｅｌ  Ｍａｐ）に統合して管理する。
【００３８】
このとき、前記チャネルマップ管理部（１１０）が有料放送チャネルマップは、有料放送サーバ（３００）から受信し、商品放送チャネルマップと、統合チャネルマップ管理アプリケーションは、チャネル情報管理サーバ（２００）から受信して、統合チャネルマップ管理アプリケーションを介して有料放送チャネルマップと商品放送チャネルマップとを単一の統合チャネルマップ（Ｃｈａｎｎｅｌ  Ｍａｐ）に統合して管理するように具現化されることができる。
【００３９】
前記チャネルマップ格納部（１２０）は、前記チャネルマップ管理部（１１０）により管理される単一の統合チャネルマップを格納する。このとき、前記チャネルマップ格納部（１２０）により格納される有料放送チャネルマップと商品放送チャネルマップとが統合された単一の統合チャネルマップが地域別に異なることができる。
【００４０】
例えば、有料放送チャネルマップと商品放送チャネルマップとが統合された単一の統合チャネルマップが各チャネルを識別できる数字形態のチャネル番号と、放送形態情報を含むことができ、有料放送チャネルのチャネル番号には、チューナーが受信しなければならない放送周波数帯域がマッピングされ、商品放送チャネルのチャネル番号には、コンテンツプラットフォーム事業者が提供する商品放送コンテンツＵＲＬもしくはチャネル接続メニューまたは商品放送プログラム識別子もしくは商品識別子がマッピングされることができる。
【００４１】
前記商品放送コンテンツＵＲＬは、コンテンツプラットフォーム事業者により運営されるコンテンツサーバ（図示せず）のＵＲＬでありうる。前記チャネル接続メニューは、ユーザ端末のユーザーインターフェスソフトウェア上において選択可能な特定のメニューに対して付与される固有の識別コードでありえ、この固有の識別コードに商品放送コンテンツＵＲＬがさらにマッピングされることができる。前記商品放送プログラム識別子は、各商品放送プログラムを識別できる固有の識別コードでありえ、この固有の識別コードに商品放送コンテンツＵＲＬがさらにマッピングされることができる。前記商品識別子は、各商品を識別できる固有の識別コードでありえ、この固有の識別コードに商品放送コンテンツＵＲＬがさらにマッピングされることができる。
【００４２】
例えば、放送形態情報が「００１」の場合、該当チャネルは、放送加入者にだけ有料放送を提供する有料放送チャネル、「００２」は、商品放送を提供する商品放送チャネルであることを表すように具現化されることができる。
【００４３】
前記チャネル管理部（１３０）は、ユーザのチャネル操作によって、前記チャネルマップ格納部（１２０）に格納された単一の統合チャネルマップを参照してチャネルを選択する。例えば、チャネル管理部（１３０）がチャネル番号認識部（１３１）と、チャネル検索部（１３２）と、チャネル変更部（１３３）とを備えることができる。
【００４４】
前記チャネル番号認識部（１３１）は、ユーザのチャネル操作に応じるチャネル番号を認識する。このとき、前記ユーザのチャネル操作は、リモコン、タッチスクリーン、またはキーボード操作により発生できる。
【００４５】
例えば、前記チャネル番号認識部（１３１）がリモコン信号からチャネル番号を認識するように具現化されることができる。ユーザがリモコン（図示せず）を操作してチャネル番号を選択すると、リモコンは、ユーザ端末（１００）にリモコン信号を送信し、チャネル番号認識部（１３１）は、リモコン信号からユーザが選択したチャネル番号を認識するように具現化されることができる。
【００４６】
前記チャネル検索部（１３２）は、前記チャネル番号認識部（１３１）により認識されたチャネル番号に対応するチャネルを単一の統合チャネルマップから検索する。例えば、前記チャネル検索部（１３２）がチャネル番号認識部（１３１）により認識されたチャネル番号に対応するチャネルをチャネルマップ格納部（１２０）に格納された有料放送チャネルマップと商品放送チャネルマップとが統合された単一の統合チャネルマップを検索して分かるようになり、検索されたチャネルの放送形態情報から有料放送チャネルなのかまたは商品放送チャネルなのかを分かるように具現化されることができる。
【００４７】
前記チャネル変更部（１３３）は、現在接続中のチャネルを解除し、前記チャネル検索部（１３２）により検索されたチャネルに接続を変更する。例えば、前記チャネル検索部（１３２）により検索されたチャネルが有料放送チャネルの場合、前記チャネル変更部（１３３）が該当有料放送チャネルにマッピングされた放送周波数帯域の有料放送信号を受信するようにチューナーに命令することによって、選択されたチャネルへのチャネル変更がなされるように具現化されることができる。
【００４８】
万が一、前記チャネル検索部（１３２）により検索されたチャネルが商品放送チャネル（全体有料放送チャネルのうち、少なくとも一つの有料放送チャネルもしくは特定有料放送チャネルの特定部分の放送編成時間帯またはチャネル接続メニュー）の場合、前記チャネル変更部（１３３）が該当商品放送チャネルにマッピングされたコンテンツプラットフォーム事業者が提供する商品放送コンテンツＵＲＬもしくはチャネル接続メニューまたは商品放送プログラム識別子もしくは商品識別子に対応する商品放送コンテンツＵＲＬに接続するようにユーザ端末のミドルウェアまたはウェブブラウザに命令することによって、選択されたチャネルへのチャネル変更がなされるように具現化されることができる。
【００４９】
前記放送処理部（１４０）は、前記チャネル管理部（１３０）により選択された有料放送チャネルから提供する有料放送チャネル信号または商品放送チャネルから提供する商品放送チャネル信号を再生する。例えば、放送処理部（１４０）は、有料放送処理部（１４１）と、商品放送処理部（１４２）とを備えることができる。
【００５０】
前記有料放送処理部（１４１）は、前記チャネル管理部（１３０）により選択された有料放送チャネルから提供する有料放送チャネル信号を再生する。例えば、有料放送処理部（１４１）は、放送周波数帯域選択のためのチューナー（Ｔｕｎｎｅｒ）と、チューナーにより選択された放送周波数帯域の有料放送信号を復調するデマルチプレクサ（Ｄｅｍｕｘ）と、デマルチプレクサにより復調された信号を処理して再生する処理器（Ｐｒｏｃｅｓｓｏｒ）とを備えることができる。
【００５１】
前記商品放送処理部（１４２）は、前記チャネル管理部（１３０）により選択された商品放送チャネルから提供する商品放送チャネル信号を再生する。例えば、商品放送処理部（１４２）は、商品放送チャネルで提供される商品放送信号を受信するモデム（Ｍｏｄｅｍ）と、受信された商品放送信号をデコードするデコーダ（Ｄｅｃｏｄｅｒ）と、デコーダによりデコードされた信号をブラウジングするウェブブラウザ（Ｗｅｂ  ｂｒｏｗｓｅｒ）とを備えることができる。
【００５２】
したがって、このように具現化することにより、放送網を介して提供される有料放送に対する有料放送チャネルマップと、インターネット網を介して提供される商品放送に対する商品放送チャネルマップとをユーザ端末（１００）を介して単一の統合チャネルマップ（Ｃｈａｎｎｅｌ  Ｍａｐ）に統合して管理することによって、簡単なユーザのリモコン、タッチスクリーン、またはキーボード操作で、インターネットを介して提供される商品放送を容易に変更できるので、コンテンツプラットフォームに依存しない放送を行うことができる。
【００５３】
図３は、本発明に係るコンテンツプラットフォームに独立的な商品放送を利用した電子商取引システムのチャネル情報管理サーバの一実施形態の構成を示すブロック図である。前記チャネル情報管理サーバ（２００）は、インターネット網を介して提供される商品放送に対する商品放送チャネルマップを生成し、統合チャネルマップ管理アプリケーションと前記生成された商品放送チャネルマップとを放送加入者のユーザ端末（１００）に提供する。
【００５４】
図３に示すように、この実施の形態に係るチャネル情報管理サーバ（２００）は、商品放送チャネル情報収集部（２１０）と、チャネルマップ生成部（２２０）と、アプリケーション格納部（２３０）と、チャネルマップ提供部（２４０）とを備える。
【００５５】
前記商品放送チャネル情報収集部（２１０）は、インターネット網を介して商品放送を提供する商品放送サーバ（４００）から商品放送チャネル情報を収集する。商品放送サーバ（４００）は、有料放送サーバ（３００）に商品放送チャネル割り当てを要請して、有料放送サーバ（３００）から全体有料放送チャネルのうち、少なくとも一つの有料放送チャネルもしくは特定有料放送チャネルの特定部分の放送編成時間帯またはチャネル接続メニューを商品放送チャネルに割り当てられるので、商品放送チャネル情報収集部（２１０）が商品放送サーバ（４００）から商品放送チャネルに割り当てられた商品放送チャネル情報を収集するように具現化されることができる。
【００５６】
前記チャネルマップ生成部（２２０）は、前記商品放送チャネル情報収集部（２１０）により収集された商品放送チャネル情報を分析して商品放送チャネルマップを生成する。このとき、前記チャネルマップ生成部（２２０）が収集された商品放送チャネル情報から商品放送チャネルを検索し、検索されたチャネルに対して商品放送コンテンツＵＲＬもしくはチャネル接続メニューまたは商品放送プログラム識別子もしくは商品識別子をマッピングして、商品放送チャネルマップを生成するように具現化されることができる。
【００５７】
一方、前記チャネルマップ生成部（２２０）が商品放送チャネルマップを放送地域別に異なるように生成するように具現化されることができる。例えば、前記チャネルマップ生成部（２２０）が地域放送区域識別子と郵便番号とをマッピングして地域商圏識別子を生成し、各地域商圏識別子にマッピングされる同じ商品放送チャネルに対して互いに異なる商品放送コンテンツが提供されるＵＲＬもしくはチャネル接続メニューまたは商品放送プログラム識別子もしくは商品識別子をマッピングすることによって、地域放送に適応的な商品放送がなされるようにすることができる。
【００５８】
前記アプリケーション格納部（２３０）は、統合チャネルマップ管理アプリケーションを格納する。統合チャネルマップ管理アプリケーションは、放送加入者のユーザ端末（１００）に提供されて、有料放送チャネルマップと商品放送チャネルマップとが統合された単一の統合チャネルマップを生成し管理するソフトウェアであって、開発者により予めコーディングされてアプリケーション格納部（２３０）に格納されることができる。このとき、統合チャネルマップ管理アプリケーションがユーザ端末類型別（機種別またはＯＳ別）にコーディングされて、アプリケーション格納部（２３０）に格納されることもできる。
【００５９】
前記チャネルマップ提供部（２４０）は、前記チャネルマップ生成部（２２０）により生成された商品放送チャネルマップと、アプリケーション格納部（２３０）に格納された統合チャネルマップ管理アプリケーションとを放送加入者のユーザ端末（１００）に提供する。
【００６０】
例えば、前記チャネルマップ提供部（２４０）が放送加入者のユーザ端末（１００）からスペック情報を収集し、収集されたユーザ端末のスペックに合う統合チャネルマップ管理アプリケーションを選択し、これをチャネルマップ生成部（２２０）により生成された商品放送チャネルマップと共に放送加入者のユーザ端末（１００）に提供するように具現化されることができる。
【００６１】
また、前記チャネルマップ提供部（２４０）がユーザ端末（１００）のミドルウェアから商品放送チャネルに対するチャネル接続メニューの要請を受けた場合、チャネル接続メニューと商品放送コンテンツＵＲＬとがマッピングされた商品放送チャネルマップを参照して、要請されたチャネル接続メニューに対応する商品放送コンテンツＵＲＬを検索してチャネル接続メニューを要請したユーザ端末（１００）を接続させるように具現化されることができる。
【００６２】
このように具現化することにより、チャネルマップ提供部（２４０）により提供される商品放送チャネルマップと、統合チャネルマップ管理アプリケーションとを受信したユーザ端末（１００）が統合チャネルマップ管理アプリケーションを実行して、チャネル情報管理サーバ（２００）から受信した商品放送チャネルマップと有料放送サーバ（３００）から受信した有料放送チャネルマップとを統合した単一の統合チャネルマップを生成し、これを参照して簡単なユーザのリモコン、タッチスクリーン、またはキーボード操作によりインターネットを介して提供される商品放送を容易に変更できる。
【００６３】
一方、チャネル情報管理サーバ（２００）が商品放送チャネルマップの生成時、商品放送コンテンツＵＲＬもしくはチャネル接続メニューまたは商品放送プログラム識別子もしくは商品識別子を商品放送チャネルにマッピングさせることによって、簡単なユーザ操作だけで商品放送コンテンツを変更できるので、コンテンツプラットフォームに依存しない放送が可能になる。
【００６４】
図４は、本発明に係るコンテンツプラットフォームに独立的な商品放送を利用した電子商取引システムの有料放送サーバの一実施形態の構成を示すブロック図である。
【００６５】
図４に示すように、この実施の形態に係る有料放送サーバ（３００）は、チャネル管理部（３１０）と、有料放送処理部（３２０）とを備える。
【００６６】
前記チャネル管理部（３１０）は、商品放送サーバ（４００）からの商品放送チャネル割り当て要請によって、全体有料放送チャネルのうち、少なくとも一つの有料放送チャネルもしくは特定有料放送チャネルの特定部分の放送編成時間帯またはチャネル接続メニューを商品放送チャネルに割り当てる。
【００６７】
前記有料放送処理部（３２０）は、前記チャネル管理部（３１０）により商品放送チャネルに割り当てられたチャネルを除いたチャネルに対する放送ストリームを放送網を介して放送加入者のユーザ端末に提供する。このように具現化することにより、有料放送サーバ（３００）が商品放送チャネルに割り当てられたチャネルを除いた有料放送チャネルに対する放送を行うようになる。
【００６８】
図５は、本発明に係るコンテンツプラットフォームに独立的な商品放送を利用した電子商取引システムの商品放送サーバの一実施形態の構成を示すブロック図である。図５に示すように、この実施の形態に係る商品放送サーバ（４００）は、商品放送チャネル要請部（４１０）と、商品放送処理部（４２０）とを備える。
【００６９】
前記商品放送チャネル要請部（４１０）は、前記有料放送サーバ（３００）に商品放送チャネル割り当てを要請して、有料放送サーバ（３００）から全体有料放送チャネルのうち、少なくとも一つの有料放送チャネルもしくは特定有料放送チャネルの特定部分の放送編成時間帯またはチャネル接続メニューを商品放送チャネルに割り当てられる。
【００７０】
前記商品放送処理部（４２０）は、放送加入者のユーザ端末（１００）により前記商品放送チャネル要請部（４１０）を介して有料放送サーバ（３００）から割り当てられた商品放送チャネルを選択するとき、選択された商品放送チャネルを介して放送される商品放送コンテンツをインターネット網を介して該当放送加入者のユーザ端末（１００）に提供する。
【００７１】
例えば、前記放送加入者のユーザ端末（１００）により選択されたチャネルが全体有料放送チャネルのうち、少なくとも一つの有料放送チャネルの場合、前記商品放送処理部（４２０）が該当有料放送チャネルにマッピングされた商品放送コンテンツＵＲＬを該当放送加入者のユーザ端末（１００）と直接接続させるように具現化されることができる。この場合は、商品放送チャネルに有料放送チャネルが割り当てられ、有料放送チャネルに商品放送コンテンツＵＲＬがマッピングされた形態で商品放送チャネルが具現化された実施形態である。
【００７２】
例えば、前記放送加入者のユーザ端末（１００）により選択されたチャネルが特定有料放送チャネルの特定部分の放送編成時間帯の場合、前記商品放送処理部（４２０）が該当特定有料放送チャネルの特定部分の放送編成時間帯にマッピングされた商品放送プログラム識別子または商品識別子に対応する商品放送コンテンツを該当商品放送プログラム識別子または商品識別子にマッピングされた商品放送コンテンツＵＲＬから読んで、該当放送加入者のユーザ端末に提供するように具現化されることができる。この場合は、商品放送チャネルに特定部分の放送編成時間帯にマッピングされた商品放送プログラム識別子または商品識別子が割り当てられ、商品放送プログラム識別子または商品識別子に商品放送コンテンツＵＲＬがマッピングされた形態で商品放送チャネルが具現化された実施形態である。
【００７３】
例えば、前記商品放送処理部（４２０）が前記放送加入者のユーザ端末（１００）により選択されたチャネルがチャネル接続メニューの場合、該当チャネル接続メニューにマッピングされた商品放送コンテンツＵＲＬから商品放送コンテンツを読んで、該当放送加入者のユーザ端末（１００）に提供するように具現化されることができる。この場合は、商品放送チャネルにチャネル接続メニューが割り当てられ、チャネル接続メニューに商品放送コンテンツＵＲＬがマッピングされた形態で商品放送チャネルが具現化された実施形態である。このように具現化することにより、商品放送サーバ（４００）が有料放送サーバ（３００）から割り当てられた商品放送チャネルに対する商品放送を行うようになる。
【００７４】
一方、発明の付加的な様相によれば、ユーザ端末（１００）が電子商取引要請部（１５０）をさらに備えることができる。前記電子商取引要請部（１５０）は、商品放送チャネル信号の再生途中、リモコン、タッチスクリーン、またはキーボードから特定キーを入力するとき、該当商品放送チャネルで放送される商品に対する電子商取引要請アプリケーションを実行して商品取引がなされるようにした実施形態である。
【００７５】
例えば、電子商取引要請アプリケーションを介して商品の販売者は、販売注文を行い、商品購買者は、購買注文を入力し、クレジットカード決済または口座振替または携帯電話決済などの決済手段を選択して決済し、商品を受給者の名前及び商品受領アドレス情報を入力したり、連絡を受ける電話番号などを入力して商品取引がなされるようにすることによって、該当商品放送チャネルで放送される商品に対する電子商取引がなされるように具現化されることができる。
【００７６】
一方、発明の付加的な様相によれば、本発明に係るコンテンツプラットフォームに独立的な商品放送を利用した電子商取引システムの電子商取引サーバ（５００）が前記電子商取引要請アプリケーションを介して要請された電子商取引処理を行い、各商品放送チャネル別に収益を配分するように具現化されることができる。
【００７７】
すなわち、電子商取引サーバ（５００）を介して各商品放送チャネルに対する取引注文管理を統合して行い、各商品放送チャネル別に収益を配分してコンテンツプラットフォーム事業者に収益を提供する。このとき、電子商取引サーバ（５００）が商品放送コンテンツプラットフォーム事業者の収益の一部を商品放送事業者に配分して商品放送運営手数料を精算するように具現化されることができる。一方、商品放送事業者は、有料放送事業者に商品放送チャネル割り当てに対する費用を精算できる。
【００７８】
一方、前記電子商取引サーバ（５００）がユーザ端末（１００）から商品放送チャネル視聴内訳または商品注文内訳を周期的に収集及び分析するように具現化して、商品放送チャネル別実績データを収集し、これを分析するように具現化されることができる。
【００７９】
以上説明したような本発明に係るコンテンツプラットフォームに独立的な商品放送を利用した電子商取引システムの商品放送提供動作を図６を通じて調べる。図６は、本発明に係るコンテンツプラットフォームに独立的な商品放送を利用した電子商取引システムの商品放送提供過程を示すフローチャートである。
【００８０】
まず、ステップ６１０にて商品放送サーバが有料放送サーバに商品放送チャネル割り当てを要請する。
【００８１】
そうすると、ステップ６２０にて有料放送サーバが全体有料放送チャネルのうち、少なくとも一つの有料放送チャネルもしくは特定有料放送チャネルの特定部分の放送編成時間帯またはチャネル接続メニューを商品放送チャネルに割り当てる。
【００８２】
また、ステップ６３０にて有料放送サーバが商品放送サーバに商品放送チャネル割り当て情報を送信する。
【００８３】
その次に、ステップ６４０にてチャネル情報管理サーバが商品放送サーバから商品放送チャネル情報を収集し、これらを分析して商品放送チャネルマップを生成する。このとき、商品放送チャネルに対して商品放送コンテンツＵＲＬもしくはチャネル接続メニューまたは商品放送プログラム識別子もしくは商品識別子をマッピングして、商品放送チャネルマップを生成できる。
【００８４】
その次に、ステップ６５０にてチャネル情報管理サーバがユーザ端末に商品放送チャネルマップと、統合チャネルマップ管理アプリケーションとを提供する。
【００８５】
そして、ステップ６６０にて有料放送サーバがユーザ端末に有料放送チャネルマップを提供する。
【００８６】
すると、有料放送チャネルマップ、統合チャネルマップ管理アプリケーション、及び商品放送チャネルマップを受信したユーザ端末が、ステップ６７０にてチャネルマップ管理アプリケーションを実行して、有料放送チャネルマップと商品放送チャネルマップとが統合された単一の統合チャネルマップを生成して管理する。
【００８７】
そして、リモコン、タッチスクリーン、またはキーボード操作を介したユーザのチャネル操作によって、ユーザ端末が生成された有料放送チャネルマップと商品放送チャネルマップとが統合されて管理される単一の統合チャネルマップを参照してチャネルを選択することによって、放送網を介した有料放送またはインターネット網を介した商品放送がなされる。
【００８８】
これにより、本発明は、簡単なユーザの操作だけで商品放送サーバから提供される商品放送をあたかも放送網から提供される有料放送チャネルを転換するように容易に接近及び変更することによって、コンテンツプラットフォームに依存しない放送を行うことができ、電子商取引を利用できるので、前記で提示した本発明の目的を達成できる。
【００８９】
本発明は、添付された図面により参照される好ましい実施形態を中心に述べたが、このような記載から後述する特許請求の範囲により包括される範囲内で本発明の範ちゅうから逸脱せずに多様な変形が可能であることは明らかである。
【図１】
2015509325.tif 000003
【図２】
2015509325.tif 000004
【図３】
2015509325.tif 000005
【図４】
2015509325.tif 000006
【図５】
2015509325.tif 000007
【図６】
2015509325.tif 000008
【国際調査報告】
2015509325.tif 000009
2015509325.tif 000010
2015509325.tif 000011
2015509325.tif 000012